(57)【要約】【課題】患者や撮影内容に関して登録されている識別情報と画像データに付帯している画像付帯情報とが対応していない場合に、それを検出して容易に修正できるようにする。【解決手段】この医用画像情報処理装置は、医用画像撮影システムにおいて患者及び撮影内容を特定するために登録されている識別情報を、入力された画像付帯情報に基づいて検索する検索手段７１ａ及び７１ｂと、記録手段７３及び７４と、画像表示手段７５と、画像付帯情報に対応する識別情報が存在する場合に、画像データ及び画像付帯情報を記録手段に記録させ、画像付帯情報に対応する識別情報が存在しない場合に、画像付帯情報及び候補となる患者情報と検査情報との組を表示手段に表示させる制御手段７１ｃとを具備する。【選択図】  図１
2004290259.tif 000002
【特許請求の範囲】
【請求項１】
医用画像撮影システムにおいて診断目的の撮影によって記録された医用画像を読み取ることによって得られた画像データと共に入力される画像付帯情報を処理して記録する医用画像情報処理装置であって、
前記医用画像撮影システムにおいて被写体である患者及び撮影の内容を特定するために登録されている識別情報を、入力された画像付帯情報に基づいて検索する検索手段と、
画像データ及び画像付帯情報を記録する記録手段と、
画像を表示する画像表示手段と、
入力された画像付帯情報に対応する識別情報が存在する場合に、入力された画像データ及び画像付帯情報を前記記録手段に記録させ、入力された画像付帯情報に対応する識別情報が存在しない場合に、入力された画像付帯情報及び候補となる患者情報と検査情報との組を前記表示手段に表示させる制御手段と、
を具備する医用画像情報処理装置。
【請求項２】
前記制御手段が、入力された画像付帯情報に対応する識別情報が存在しない場合に、該画像付帯情報と共に入力された画像データに基づく画像を前記表示手段に表示させる、請求項１記載の医用画像情報処理装置。
【請求項３】
前記検索手段が、
前記医用画像撮影システムにおいて被写体である患者を特定するために登録されている患者情報を、入力された画像付帯情報に基づいて検索する第１の検索手段と、
前記医用画像撮影システムにおいて撮影の内容を特定するために登録されている検査情報を、入力された画像付帯情報に基づいて検索する第２の検索手段と、を含み、
前記制御手段が、入力された画像付帯情報に対応する患者情報と検査情報との組が存在する場合に、入力された画像データ及び画像付帯情報を前記記録手段に記録させ、入力された画像付帯情報に対応する患者情報と検査情報との組が存在しない場合に、入力された画像付帯情報に含まれている何れかの情報と共通する情報を含む患者情報と検査情報との組を候補として前記表示手段に表示させる、請求項１又は２記載の医用画像情報処理装置。
【請求項４】
医用画像撮影システムにおいて診断目的の撮影によって記録された医用画像を読み取ることによって得られた画像データと共に入力される画像付帯情報を処理して記録する医用画像情報処理方法であって、
前記医用画像撮影システムにおいて被写体である患者及び撮影の内容を特定するために登録されている識別情報を、入力された画像付帯情報に基づいて検索するステップ（ａ）と、
入力された画像付帯情報に対応する識別情報が存在する場合に、入力された画像データ及び画像付帯情報を記録するステップ（ｂ）と、
入力された画像付帯情報に対応する識別情報が存在しない場合に、入力された画像付帯情報及び候補となる患者情報と検査情報との組を表示するステップ（ｃ）と、
を具備する医用画像情報処理方法。
【請求項５】
ステップ（ｃ）が、入力された画像付帯情報に対応する識別情報が存在しない場合に、該画像付帯情報と共に入力された画像データに基づく画像を表示することを含む、請求項４記載の医用画像情報処理方法。
【請求項６】
ステップ（ａ）が、
前記医用画像撮影システムにおいて被写体である患者を特定するために登録されている患者情報を、入力された画像付帯情報に基づいて検索するステップと、
前記医用画像撮影システムにおいて撮影の内容を特定するために登録されている検査情報を、入力された画像付帯情報に基づいて検索するステップと、
を含み、
ステップ（ｂ）が、入力された画像付帯情報に対応する患者情報と検査情報との組が存在する場合に、入力された画像データ及び画像付帯情報を記録することを含み、
ステップ（ｃ）が、入力された画像付帯情報に対応する患者情報と検査情報との組が存在しない場合に、入力された画像付帯情報に含まれている何れかの情報と共通する情報を含む患者情報と検査情報との組を候補として表示することを含む、請求項４又は５記載の医用画像情報処理方法。
【発明の詳細な説明】
【０００１】
【発明の属する技術分野】
本発明は、放射線撮影等の診断目的のための撮影によって得られた医用画像を読み取ることにより生成された画像データ及びその付帯情報を管理する医用画像情報処理装置及び医用画像情報処理方法に関する。
【０００２】
【従来の技術】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、医療用画像診断に用いられる装置として、Ｘ線ＣＴや超音波、ＭＲＩ等の様々なディジタル化された装置が実用化されており、病院内での診断情報処理システム等の構築が進められようとしている。Ｘ線画像についても、ディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、輝尽性蛍光体を塗布した記録シートに人体等の被写体の放射線画像を撮影記録し、この記録シートをレーザ光等の励起光で走査すると輝尽発光光が生じるので、この光を光電的に読み取ることにより画像データを得るものである。この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
ところで、放射線撮影により撮影した画像情報をディジタル化して保存する放射線撮影システムにおいては、撮影を行う際に、被検者である患者の氏名や患者ＩＤ等の患者情報と、撮影部位等を表す撮影メニュー、検査番号及び検査日等の検査情報とを含む識別情報を受付端末等を用いて放射線科情報システムに予め登録しておき、撮影によって得られた画像データを識別情報に対応付けて保存することが行われている。
【０００６】
しかしながら、放射線科情報システムと放射線撮影装置との間でオンラインでデータの通信が行われない状況においては、放射線撮影を行う際に、放射線撮影装置において再び識別情報を入力する必要がある。そのために手入力作業が発生するので、識別情報の入力ミスが発生する可能性がある。また、放射線科情報システムと放射線撮影装置との間でオンラインでデータの通信が可能な状況においても、撮影すべき患者を取り違えてしまう等のミスが発生する可能性がある。
【０００７】
そのようなミスが発生すると、放射線科情報システムに登録されている識別情報と、放射線撮影を行う際に入力された識別情報に基づいて生成された画像付帯情報との間で、対応が取れなくなってしまう。そのような場合には、これらの対応関係を修正する必要が生じる。
【０００８】
関連する技術として、下記の特許文献１には、ＨＩＳ（病院情報管理システム）、ＲＩＳ（放射線科情報管理システム）とＰＡＣＳ（画像管理システム）間で迅速かつ正確な情報のやり取りができ、かつ、医用画像診断装置、画像処理装置により得られた画像を手間をかけずにＰＡＣＳに記憶させることができる病院情報システムについて述べられている。
【０００９】
この病院情報システムにおいては、ＨＩＳとＲＩＳとＰＡＣＳとを通信回線で接続し、医用画像診断装置等により得られた画像をＰＡＣＳに記憶させる際に、画像の付帯情報をＲＩＳからＰＡＣＳに送信し、この付帯情報と共に画像をＰＡＣＳに記憶する。しかしながら、ＲＩＳからＰＡＣＳに送信された付帯情報が画像に対応していない場合については述べられていない。
【００１０】
また、下記の特許文献２には、病院などに設置されている、患者の医用画像撮影を行って医用画像データを得る医用画像撮影機器と接続され、その医用画像撮影機器で得られた医用画像データを収集する画像収集方式について述べられている。
【００１１】
この画像収集方式においては、データ保管ファイルに格納された検査データ中の患者ＩＤと、サーバの患者・検査情報ファイル中の患者ＩＤとが一致するか否か、及び、データ保管ファイルに格納された検査データ中の検査ＩＤと、サーバの患者・検査情報ファイル中の検査ＩＤとが一致するか否かのマッチングを実行し、一致しなかったＩＤを変更する。しかしながら、一致しなかったＩＤが多数存在する場合には、それぞれのＩＤに対して個々に修正を行わなければならないので、患者ＩＤによって識別される患者情報と検査ＩＤによって識別される検査情報とを対応付けるために多大な手間を要する。
【００１２】
さらに、下記の特許文献３には、医用画像データが更新された場合に、これをユーザに通知することが可能な医用所見管理システムについて述べられている。この医用所見管理システムによれば、医用画像データが更新された場合に、これをユーザに通知することが可能になるものの、それにより、業務のフローを変えるものではない。
【００１３】
【特許文献１】
特開平８−７０１３号公報（第１頁、図１）
【特許文献２】
特開平８−２８９８７５号公報（第３，４頁、図３）
【特許文献３】
特開２００１−１６７２１３号公報（第３，４頁、図２）
【００１４】
【発明が解決しようとする課題】
そこで、上記の点に鑑み、本発明は、患者や撮影内容に関して登録されている識別情報と画像データに付帯している画像付帯情報とが対応していない場合に、それを検出して容易に修正できるようにする医用画像情報処理装置及び医用画像情報処理方法を提供することを目的とする。
【００１５】
【課題を解決するための手段】
上記課題を解決するため、本発明に係る医用画像情報処理装置は、医用画像撮影システムにおいて診断目的の撮影によって記録された医用画像を読み取ることによって得られた画像データと共に入力される画像付帯情報を処理して記録する医用画像情報処理装置であって、医用画像撮影システムにおいて被写体である患者及び撮影の内容を特定するために登録されている識別情報を、入力された画像付帯情報に基づいて検索する検索手段と、画像データ及び画像付帯情報を記録する記録手段と、画像を表示する画像表示手段と、入力された画像付帯情報に対応する識別情報が存在する場合に、入力された画像データ及び画像付帯情報を記録手段に記録させ、入力された画像付帯情報に対応する識別情報が存在しない場合に、入力された画像付帯情報及び候補となる患者情報と検査情報との組を表示手段に表示させる制御手段とを具備する。
【００１６】
また、本発明に係る医用画像情報処理方法は、医用画像撮影システムにおいて診断目的の撮影によって記録された医用画像を読み取ることによって得られた画像データと共に入力される画像付帯情報を処理して記録する医用画像情報処理方法であって、医用画像撮影システムにおいて被写体である患者及び撮影の内容を特定するために登録されている識別情報を、入力された画像付帯情報に基づいて検索するステップ（ａ）と、入力された画像付帯情報に対応する識別情報が存在する場合に、入力された画像データ及び画像付帯情報を記録するステップ（ｂ）と、入力された画像付帯情報に対応する識別情報が存在しない場合に、入力された画像付帯情報及び候補となる患者情報と検査情報との組を表示するステップ（ｃ）とを具備する。
【００１７】
本発明によれば、患者や撮影内容に関して登録されている識別情報と画像データに付帯している画像付帯情報とが対応していない場合に、それを検出して少なくとも入力された画像付帯情報を表示するので、画像付帯情報を容易に修正できるようになる。
【００１８】
【発明の実施の形態】
以下、図面を参照しながら本発明の実施の形態について説明する。なお、同一の構成要素には同一の参照番号を付して、説明を省略する。
図１は、本発明の一実施形態に係る医用画像情報処理装置を含む医用画像撮影システムの構成を示すブロック図である。図１に示すように、この医用画像撮影システムは、病院情報管理システム（ｈｏｓｐｉｔａｌ  ｉｎｆｏｒｍａｔｉｏｎ  ｓｙｓｔｅｍ：ＨＩＳ）１と、受付端末２と、放射線科に設置された放射線科情報管理システム（ｒａｄｉｏｌｏｇｙ  ｉｎｆｏｒｍａｔｉｏｎ  ｓｙｓｔｅｍ：ＲＩＳ）３、受付端末４及び各種の装置５ａ〜１１ｂと、診療科に設置された診療科端末１２とを、ネットワークＮ１を介して接続することにより構成される。
【００１９】
ＨＩＳ１は、病院全体の業務を管理するために用いられる。受付端末２は、病院の受付において、被検者である患者の氏名や患者ＩＤ等の患者情報を入力するために用いられ、また、予め放射線撮影を行うことが分かっている場合には、撮影部位等を表す撮影メニュー、検査番号及び検査日等の検査情報を入力するために用いられる。なお、患者情報及び検査情報は、放射線科の受付端末４を用いて入力するようにしても良い。
【００２０】
放射線科において、ＲＩＳ３は、放射線撮影に関する様々な業務の遂行を管理するために用いられる。放射線撮影の記録媒体として用いられる記録シート（輝尽性蛍光体シート）は、輝尽性蛍光体物質を塗布したものであり、放射線が照射されることにより被写体の情報が記録される。
【００２１】
放射線科には、被検者に放射線を照射して撮影を行うことにより記録シートに放射線画像を記録する医用画像撮影装置５ａ〜５ｃと、記録シートに記録されている放射線画像等の情報を光電的に読み取って画像データを生成する医用画像読取装置６と、医用画像読取装置６から画像データ及びその付帯情報を入力してそれらに各種の処理を施して記録する医用画像情報処理装置７と、医療用診断画像及びその付帯情報を表示又は出力する画像確認端末８ａ及び８ｂとが設置されている。なお、画像データに画像処理を施すために医用画像処理装置を別途設け、医用画像情報処理装置７を、画像付帯情報の処理と画像データ及び画像付帯情報の記録のためだけに用いるようにしても良い。
【００２２】
さらに、放射線科には、撮影された放射線画像に関する撮影レポートを作成するために用いられるレポート作成端末９ａ及び９ｂと、撮影レポートを記録するレポートサーバ１０と、撮影レポートを表示又は出力するレポート確認端末１１ａ及び１１ｂとが設置されている。放射線科において放射線撮影を行うことにより得られた画像データ及びその付帯情報と、その放射線画像に関して作成された撮影レポートとは、診療科端末１２に送信され、診療科において、患者を診療するために使用される。
【００２３】
このような医用画像撮影システムにおいて、ＨＩＳ１は、電子カルテＤＢ（ｄａｔａ  ｂａｓｅ：データベース）１１を保有している。電子カルテＤＢ１１には、受付端末を用いて入力された患者情報及び検査情報を含む識別情報や、診療科において診療時に作成されたカルテ情報等が登録されている。電子カルテＤＢ１１に登録されている識別情報は、ＲＩＳ３に出力され、ＲＩＳ３の識別情報ＤＢ３１に登録される。さらに、識別情報は、ＲＩＳ３から医用画像情報処理装置７に出力されて記録される。
【００２４】
しかしながら、ＲＩＳ３と医用画像撮影装置５ａ〜５ｃとの間でオンラインでデータの通信が行われない状況においては、放射線撮影を行う際に、医用画像撮影装置５ａ〜５ｃにおいて再び識別情報を入力する必要がある。そのために手入力作業が発生するので、識別情報の入力ミスが発生する可能性がある。また、ＲＩＳ３と医用画像撮影装置５ａ〜５ｃとの間でオンラインでデータの通信が可能な状況においても、撮影すべき患者を取り違えてしまう等のミスが発生する可能性がある。
【００２５】
そのようなミスが発生すると、ＲＩＳ３に登録されている識別情報と、放射線撮影を行う際に入力された識別情報に基づいて生成された画像付帯情報との間で、対応が取れなくなってしまう。そこで、医用画像情報処理装置７において、そのようなミスが発生したことを検出して、識別情報と画像付帯情報との対応が取れるように、これらの対応関係を容易に修正できるようにしている。
【００２６】
図２は、本発明の一実施形態に係る医用画像情報処理装置の構成を示すブロック図である。医用画像情報処理装置７は、各種の命令やデータを入力するために用いられる入力部７０と、中央演算装置（以下、ＣＰＵという）７１と、医用画像読取装置６から入力された画像データ及びその付帯情報等を一旦記憶するメモリ７２と、記録媒体としてのハードディスク７３と、ハードディスク制御部７４と、ネットワークインタフェース７６とを含んでいる。これらは、バスラインＢＬを介して相互に接続されている。
【００２７】
ＣＰＵ７１は、ネットワークインタフェース７６を介して、ネットワークＮ１に接続されている。また、ハードディスク７３には、ＲＩＳ３から入力される患者情報及び検査情報を含む識別情報が記録される識別情報ＤＢ７３ａと、医用画像読取装置６から入力される画像データ及びその付帯情報を含む画像情報が記録される画像情報ＤＢ７３ｂと、ＣＰＵ７１に動作を行わせるためのソフトウェア（プログラム）７３ｃとが設けられている。
【００２８】
なお、記録媒体としては、内蔵のハードディスク７３以外に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２９】
次に、ＣＰＵ７１とソフトウェア（プログラム）とによって構成される機能ブロック７１ａ〜７１ｄについて説明する。
患者情報検索部７１ａは、メモリ７２に一旦記憶された画像付帯情報に基づいて、識別情報ＤＢ７３ａ又はＲＩＳ３の識別情報ＤＢ３１に記録されている識別情報を検索する。例えば、患者情報検索部７１ａは、画像付帯情報に含まれている患者ＩＤに基づいて、患者情報に含まれている患者ＩＤの一覧を検索することにより、患者ＩＤの一覧の中に、画像付帯情報に含まれている患者ＩＤと一致する患者ＩＤが存在するか否かを判定する。また、患者情報検索部７１ａは、判定結果を検査情報検索部７１ｂに出力する。
【００３０】
検査情報検索部７１ｂは、メモリ７２に一旦記憶された画像付帯情報に基づいて、識別情報ＤＢ７３ａに記録されている検査情報を検索する。例えば、検査情報検索部７１ｂは、画像付帯情報に含まれている検査番号に基づいて、患者情報検索部７１ａの検索においてヒットした患者ＩＤに対応する検査番号を検索することにより、これらの検査番号の中に、画像付帯情報に含まれている検査番号と一致する検査番号が存在するか否かを判定する。また、検査情報検索部７１ｂは、判定結果を制御部７１ｃに出力する。
【００３１】
あるいは、検査情報検索部７１ｂが、画像付帯情報に含まれている検査番号に基づいて、検査情報に含まれている検査番号の一覧を検索することにより、検査番号の一覧の中に、画像付帯情報に含まれている検査番号と一致する検査番号が存在するか否かを判定し、患者情報検索部７１ａが、画像付帯情報に含まれている患者ＩＤに基づいて、検査情報検索部７１ｂの検索においてヒットした検査番号に対応する患者ＩＤを検索することにより、これらの患者ＩＤの中に、画像付帯情報に含まれている患者ＩＤと一致する患者ＩＤが存在するか否かを判定するようにしても良い。
【００３２】
画像付帯情報に対応する患者情報と検査情報との組が識別情報ＤＢ７３ａに存在する場合には、メモリ７２に一旦記憶された画像データ及び画像付帯情報をハードディスク７３に記録するように、制御部７１ｃがハードディスク制御部７４を制御する。
【００３３】
一方、画像付帯情報に対応する患者情報と検査情報との組が識別情報ＤＢ７３ａに存在しない場合には、制御部７１ｃが、その画像付帯情報、及び、その画像付帯情報に含まれている何れかの情報と共通する情報を含む患者情報と検査情報との組を候補として表示部７５に表示させる。その際に、制御部７１ｃが、入力された画像データに基づく画像を表示部７５に表示させることが望ましい。これにより、オペレータは、入力部７０を用いて、画像付帯情報の誤りを容易に修正できるようになる。
【００３４】
画像処理部７１ｄは、画像読取装置６から入力された画像データに各種の画像処理を施す。これにより、画像処理が施された画像データが、ハードディスク７３の画像情報ＤＢ７３ｂに記録されることになる。なお、画像データに画像処理を施すために医用画像処理装置が別途設けられる場合には、医用画像情報処理装置７において画像処理部７１ｄを省略しても良い。
【００３５】
次に、本実施形態に係る医用画像情報処理装置の動作について、図１〜図４を参照しながら説明する。図３及び図４は、図２に示す医用画像情報処理装置の動作を示すフローチャートである。
【００３６】
図３に示すように、まず、ステップＳ１において、ＲＩＳ３に識別情報が登録される。即ち、受付端末２又は４を用いて、患者情報及び検査情報を含む識別情報が入力され、ＲＩＳ３の識別情報ＤＢ３１に記録される。次に、ステップＳ２において、医用画像情報処理装置７に識別情報が記録される。即ち、ＲＩＳ３から医用画像情報処理装置７に識別情報が送信され、医用画像情報処理装置７の識別情報ＤＢ７３ａに記録される。
【００３７】
ステップＳ３〜Ｓ５において、放射線撮影を行う。まず、ステップＳ３において、オペレータは、患者情報及び検査情報を含む識別情報を医用画像撮影装置５ａに入力する。次に、ステップＳ４において、医用画像撮影装置５ａは、入力された識別情報に含まれている検査情報に基づいて撮影条件を設定する。設定された撮影条件の下で放射線撮影が行われ、放射線画像が記録シートに記録される。その後、医用画像撮影装置５ａは、記録シートのバーコードに対応付けて識別情報を医用画像読取装置６に出力する。
【００３８】
ステップＳ５において、医用画像読取装置６は、記録シートから放射線画像を読み取って画像データを生成すると共に、記録シートからバーコードを読み取ってバーコードに対応する識別情報を検索する。医用画像読取装置６は、生成した画像データと共に、識別情報を画像付帯情報として医用画像情報処理装置７に出力する。
【００３９】
ステップＳ６において、医用画像情報処理装置７は、画像データ及び画像付帯情報を入力し、メモリ７２に一旦記憶する。次に、ステップＳ７において、患者情報検索部７１ａが、メモリ７２に一旦記憶された画像付帯情報に含まれている患者ＩＤに基づいて、識別情報ＤＢ７３ａに記録されている患者情報に含まれている患者ＩＤの一覧を検索し、患者ＩＤの一覧の中に、画像付帯情報に含まれている患者ＩＤと一致する患者ＩＤが存在するか否かを判定する。一致する患者ＩＤが存在する場合には、ステップＳ８Ａに移行し、一致する患者ＩＤが存在しない場合には、ステップＳ８Ｂに移行する。
【００４０】
一致する患者ＩＤが存在する場合には、ステップＳ８Ａにおいて、患者情報検索部７１ａが、一致する患者ＩＤが存在することを表す判定結果を検査情報検索部７１ｂに出力して、ステップＳ９に移行する。一方、一致する患者ＩＤが存在しない場合には、ステップＳ８Ｂにおいて、患者情報検索部７１ａが、一致する患者ＩＤが存在しないことを表す判定結果を検査情報検索部７１ｂに出力して、ステップＳ９に移行する。
【００４１】
ステップＳ９において、検査情報検索部７１ｂが、画像付帯情報に含まれている検査番号に基づいて、患者情報検索部７１ａの検索においてヒットした患者ＩＤに対応する検査番号を検索し、これらの検査番号の中に、画像付帯情報に含まれている検査番号と一致する検査番号が存在するか否かを判定する。一致する検査番号が存在する場合には、ステップＳ１０Ａに移行し、一致する検査番号が存在しない場合には、ステップＳ１０Ｂに移行する。
【００４２】
一致する検査番号が存在する場合には、ステップＳ１０Ａにおいて、検査情報検索部７１ｂが、一致する検査番号が存在することを表す判定結果を制御部７１ｃに出力して、ステップＳ１１に移行する。一方、一致する検査番号が存在しない場合には、ステップＳ１０Ｂにおいて、検査情報検索部７１ｂが、一致する検査番号が存在しないことを表す判定結果を制御部７１ｃに出力して、ステップＳ１１に移行する。なお、ステップＳ７において一致する患者ＩＤが存在しないと判定された場合には、ステップＳ９、ステップ１０Ａ及び１０Ｂを省略する構成としても良い。
【００４３】
次に、図４のステップＳ１１において、制御部７１ｃは、画像付帯情報に含まれている識別情報と一致する識別情報が、識別情報ＤＢ７３ａに存在するか否かを判定する。一致する識別情報が存在する場合には、ステップＳ１２Ａに移行し、一致する識別情報が存在しない場合には、ステップＳ１２Ｂに移行する。
【００４４】
一致する識別情報が存在する場合には、ステップＳ１２Ａにおいて、制御部７１ｃが、患者情報及び検査情報が一致した旨を表す判定結果を出力する。さらに、ステップＳ１３Ａにおいて、制御部７１ｃが、一致した患者情報及び検査情報に対応させて画像データを画像情報ＤＢ７３ｂに記録して終了する。
【００４５】
一方、一致する識別情報が存在しない場合には、制御部７１ｃが、ステップＳ１２Ｂにおいて、患者情報又は検査情報に不一致があった旨を表す判定結果を出力して、ステップＳ１３Ｂにおいて、オペレータが誤りを修正できるように検査修正画面を表示する。
【００４６】
即ち、ステップＳ１３Ｂにおいて、制御部７１ｃが、画像付帯情報に含まれている患者情報及び検査情報を、その画像付帯情報と共に入力された画像データに基づく放射線画像と共に表示部７５に表示する。さらに、ステップＳ１４Ｂにおいて、制御部７１ｃが、識別情報ＤＢ７３ａ又はＲＩＳ３の識別情報ＤＢ３１を検索することにより、候補となる患者情報及び検査情報の一覧を表示部７５に表示する。本実施形態においては、画像付帯情報中の検査情報に含まれている検査日と同一の検査日を有する患者情報及び検査情報の一覧を表示している。
【００４７】
図５は、図２に示す医用画像情報処理装置の表示部に表示される検査修正画面の初期画面を示す図である。図５に示すように、検査修正画面の初期画面の左側には、画像付帯情報中の患者情報に含まれている患者名及び患者ＩＤと、検査情報に含まれている検査番号とが、対応する画像データに基づく放射線画像の下に表示される。
【００４８】
検査修正画面の右側には、候補として、患者情報に含まれている患者名及び患者ＩＤと、検査情報に含まれている検査番号、撮影メニュー及び検査日とが表示される。また、検査修正画面の右下には、検査修正画面の初期画面を表示するために押下される初期画面ボタンと、一覧表示されている患者情報及び検査情報の内で既に画像データと対応付けられて記録されているものについて放射線画像を確認するために押下される画像確認ボタンと、修正した対応関係を保存するために押下される保存ボタンとが配置されている。
【００４９】
再び図４を参照すると、ステップＳ１５Ｂにおいて、オペレータが、検査修正画面の左側に表示された画像付帯情報及び放射線画像に対応する患者情報及び検査情報として、右側に表示されている候補となる患者情報及び検査情報の１つの行を選択して放射線画像を確認することにより、これらの対応関係を修正する。
【００５０】
次に、ステップＳ１６Ｂにおいて、制御部７１ｃは、修正された対応関係により画像データ及び識別情報を画像情報ＤＢ７３ｂに記録して、画像情報処理を終了する。また、ステップＳ１７Ｂにおいて、画像データ及び識別情報の対応関係の修正に基づき、検査の進行状況を変更する。その後、この放射線画像に関する撮影レポートが作成される。
【００５１】
次に、図４〜図９を参照しながら、画像データと識別情報との対応関係を修正する方法、及び、その修正を検査の進行状況に反映させる方法について説明する。図６は、図２に示す医用画像情報処理装置の表示部に表示される検査修正画面の最終画面を示す図であり、図７は、対応関係を修正する前の検査進行状況一覧画面を示す図であり、図８は、対応関係を修正した後の検査進行状況一覧画面を示す図である。
【００５２】
図４のステップＳ１３Ｂ及びＳ１４Ｂにおいて、図５の検査修正画面の初期画面が表示されると、オペレータが、画像付帯情報に含まれている検査番号と同一の検査番号を有する「藤太郎」の胸部単純画像を確認するために、これを指定して画像確認ボタンを押下することにより、図５に示す初期画面に替えて、候補から選択された患者情報に含まれている患者名及び患者ＩＤと、検査情報に含まれている検査番号とが、対応する画像データに基づく放射線画像の下に表示される。
【００５３】
ここで、図７の検査進行状況一覧画面に示すように、「富士太郎」の胸部単純画像は未撮影、「富士花子」の腹部ＣＴ画像はレポート完了、「藤太郎」の胸部単純画像は画像確認中、「藤桃子」の腹部ＣＴ画像は未撮影となっている。
【００５４】
オペレータは、再び、図５に示す初期画面を表示させ、初期画面の左側に表示されている画像確認中の「藤太郎」の放射線画像が、実は「富士太郎」の胸部単純画像であると判断する。そこで、オペレータは、画像確認中の「藤太郎」の胸部単純画像を「富士太郎」の胸部単純画像に対応させるために、メモリ７２に一旦記憶された画像データを「富士太郎」の胸部単純画像に対応させる。その結果が、図６のように表示される。
【００５５】
次に、オペレータは、保存ボタンを押下することにより、これらの画像データ及び識別情報を画像情報ＤＢ７３ｃに記録する。その結果、図８の検査進行状況一覧画面に示すように、自動的に検査進行状況が変更され、「富士太郎」の胸部単純画像と「藤太郎」の胸部単純画像は撮影完了となり、これらのステータスとして「要確認」が表示される。これにより、オペレータは、修正と関連した「藤太郎」と「富士太郎」との双方の検査に対して、最終的な画像確認が必要なことを認識できる。
【００５６】
図９は、オペレータが手動で検査状況を変更するために用いられる検査状況変更操作画面を示す図である。図９に示すように、「富士太郎」の検査状況が、未撮影から撮影完了に変更され、「藤太郎」の検査状況が、画像確認中から撮影完了に変更される。その後、設定ボタンを押下することにより、検査状況を変更することが可能である。これらの検査状況は、ＲＩＳ３によって管理される。
【００５７】
【発明の効果】
以上説明したように、本発明によれば、患者や撮影内容に関して登録されている識別情報と画像データに付帯している画像付帯情報とが対応していない場合に、それを検出して少なくとも入力された画像付帯情報を表示するので、画像付帯情報を容易に修正できるようになる。
【図面の簡単な説明】
【図１】本発明の一実施形態に係る医用画像情報処理装置を含む医用画像撮影システムの構成を示すブロック図である。
【図２】本発明の一実施形態に係る医用画像情報処理装置の構成を示すブロック図である。
【図３】図２に示す医用画像情報処理装置の動作を示すフローチャート（前半）である。
【図４】図２に示す医用画像情報処理装置の動作を示すフローチャート（後半）である。
【図５】図２に示す医用画像情報処理装置の表示部に表示される検査修正画面の初期画面を示す図である。
【図６】図２に示す医用画像情報処理装置の表示部に表示される検査修正画面の最終画面を示す図である。
【図７】対応関係を修正する前の検査進行状況一覧画面を示す図である。
【図８】対応関係を修正した後の検査進行状況一覧画面を示す図である。
【図９】オペレータが手動で検査状況を変更するために用いられる検査状況変更操作画面を示す図である。
【符号の説明】
１  ＨＩＳ
２、４  受付端末
３  ＲＩＳ
５ａ〜５ｃ  医用画像撮影装置
６  医用画像読取装置
７  医用画像情報処理装置
８ａ、８ｂ  画像確認端末
９ａ、９ｂ  レポート作成端末
１０  レポートサーバ
１１ａ、１１ｂ  レポート確認端末
１１  電子カルテＤＢ
１２  診療科端末
３１  識別情報ＤＢ
７０  入力部
７１  ＣＰＵ
７１ａ  患者情報検索部
７１ｂ  検査情報検索部
７１ｃ  制御部
７１ｄ  画像処理部
７２  メモリ
７３  ハードディスク
７３ａ  識別情報ＤＢ
７３ｂ  画像情報ＤＢ
７３ｃ  プログラム
７４  ハードディスク制御部
７５  表示部
７６  ネットワークインタフェース
【図１】
2004290259.tif 000003
【図２】
2004290259.tif 000004
【図３】
2004290259.tif 000005
【図４】
2004290259.tif 000006
【図５】
2004290259.tif 000007
【図６】
2004290259.tif 000008
【図７】
2004290259.tif 000009
【図８】
2004290259.tif 000010
【図９】
2004290259.tif 000011